(57)【要約】【課題】本発明は、網間インタフェース装置、無線基地局装置および信号処理動作管理方法に関し、基本的な構成が大幅に変更されることなく、パッケージ備えられた資源の有効な活用が可能となることを目的とする。【解決手段】  第一の網と第二の網との網間インタフェースで行う信号処理を行うパッケージを複数有する信号処理部と、該パッケージで行う網間での信号処理に余剰のあるパッケージに対して優先して信号処理を割り付けるように制御する制御手段とを備えて構成される。【選択図】      図１
2006067340.tif 000002
【特許請求の範囲】
【請求項１】
第一の網と第二の網との網間インタフェースで行う信号処理を行うパッケージを複数有する信号処理部と、
該パッケージで行う網間での信号処理に余剰のあるパッケージに対して優先して信号処理を割り付けるように制御する制御手段と
を備えたことを特徴とする網間インタフェース装置。
【請求項２】
第一の網と第二の網との網間インタフェースで行う信号処理を行うパッケージを複数有する信号処理部と、
複数の該パッケージからサイクリックにパッケージを選択して信号処理を割り付けるように該複数のパッケージ間の信号処理動作を制御する制御手段と
を備えたことを特徴とする網間インタフェース装置。
【請求項３】
無線周波信号の送受信処理をする無線送受信部と、
該無線送受信部に対して移動無線端末に割り当てられるチャネル対応の信号処理を複数行うことができるパッケージを複数有する信号処理部とを備え、
該パッケージ内で行われる信号処理に余剰が多いパッケージを優先して信号処理を割り付けるように該複数のパッケージ間の信号処理動作を制御する制御部と
を備えたことを特徴とする無線基地局装置。
【請求項４】
無線周波信号の送受信処理をする無線送受信部と、
該無線送受信部に対して移動無線端末に割り当てられるチャネル対応の信号処理を複数行うことができるパッケージを複数有する信号処理部とを備え、
複数の該パッケージからサイクリックにパッケージを選択して信号処理を割り付けるように該複数のパッケージ間の信号処理動作を制御する制御部と
を備えたことを特徴とする無線基地局装置。
【請求項５】
無線周波信号の送受信処理をする無線送受信部と、
該無線送受信部に対して移動無線端末に割り当てられるチャネル対応の信号処理を複数行うことができるパッケージを複数有する信号処理部とを備え、
該パッケージ内で行われる信号処理に余剰が多いパッケージを優先して信号処理を割り付けるように該複数のパッケージ間の信号処理動作を制御する
ことを特徴とする信号処理動作管理方法。
【発明の詳細な説明】
【技術分野】
【０００１】
本発明は、異なる網の間における網間インタフェースを行う網間インタフェース装置と、無線ゾーンを形成し、その無線ゾーンのチャネル制御を行う無線基地局装置と、これらの網間インタフェース装置および無線基地局装置に適用された信号処理動作管理方法とに関する。
【背景技術】
【０００２】
ワイドバンドＣＭＤＡ（Code Division Multiple Access）方式が適用された移動通信システムでは、拡散率に応じて伝送速度が変更されることによって、多様なサービスの柔軟な収容が図られている。
図７は、ワイドバンドＣＤＭＡ方式が適用された移動通信システムの構成例を示す図である。
【０００３】
図において、基地局制御局１０は、ＡＴＭ（Asynchronous Transmission Mode）やインタネットプロトコル（ＩＰ）が適用された通信リンク２１を介して無線基地局３０に接続され、その無線基地局３０によって形成される無線ゾーン３１には、移動無線端末（以下、「端末」と称す。）５０-1〜５０-nが位置する。
無線基地局３０は、通信リンク２１を終端するネットワークインタフェース部２２と、無線ゾーン３１において上述した端末５０-1〜５０-nとの間における無線伝送路を形成するため、無線周波数帯と既述のベースバンド領域との間における周波数変換に併せて、電力増幅および空中線系に対する給電（空中線の共用を含む。）を行う無線送受信部２３と、ネットワークインタフェース部２２と無線送受信部２３との段間に配置され、上述した通信リンク２１と無線送受信部２３との間に配置され、ベースバンド領域で送信信号の誤り訂正符号化、フレーム化、データ変調、拡散変調、および受信信号の逆拡散、チップ同期、誤り訂正復号、データの多重分離、セクタ間ダイバーシチハンドオーバ時の最大比合成などの信号処理を行うベースバンド信号処理部２４と、ネットワークインタフェース部２２と無線送受信部２３およびベースバンド信号処理部２４に内部バス２５を介して接続され、かつこれらのネットワークインタフェース部２２、無線送受信部２３およびベースバンド信号処理部２４の連係を図る制御部２６とから構成される。
【０００４】
ベースバンド信号処理部２４は、複数のパッケージ４０-1〜４０-Pから構成される。
パッケージ４０-1は、ネットワークインタフェース部２２の対応するポートを終端する伝送路終端部４１-1と、伝送路終端部４１-1の出力に接続されたコーディング部４２-1と、コーディング部４２-1の後段に配置され、かつ無線送受信部２３の対応する入力ポートに接続されると共に、上述したワイドバンドＣＤＭＡ方式に適合した拡散処理を行う拡散部４３-1と、無線送受信部２３の対応する出力ポートに接続され、かつワイドバンドＣＤＭＡ方式に適合した逆拡散処理を行う逆拡散部４４-1と、逆拡散部４４-1の後段に配置され、かつ出力が伝送路終端部４１-1の入力に接続されたデコーディング部４５-1と、上述した伝送路終端部４１-1、コーディング部４２-1、拡散部４３-1、逆拡散部４４-1およびデコーディング部４５-1の振る舞いを統括し、かつ既述の内部バス２５を介して制御部２６と連係することによって、後述する処理を行うプロセッサ４６-1とから構成される。
【０００５】
これらベースバンド処理部２４のハードリソースは任意のセクタおよび任意のキャリアに割り当て可能で、無線基地局３０内で共有することで、サービス、トラヒックの偏りに対しても柔軟に移動通信端末に割り当てられるチャネルのチャネル割り当てが可能となる。
なお、パッケージ４０-2〜４０-Pの構成は、上述したパッケージ４０-1の構成と同じであるので、ここでは、その説明および図示を省略する。
【０００６】
このような構成の従来例では、ネットワークインタフェース２２は、通信リンク２１に適用された伝送モードに基づく多重化および逆多重化を行い、かつ制御部２６とプロセッサ４６-1〜４６-Pとの全てまたは一部と内部バス２５を介して相互に、「基地局制御局１０によって行われるチャネル制御にかかわる制御情報」の引き渡しを行う。
さらに、ネットワークインタフェース部２２は、ベースバンド信号処理部２４（パッケージ４０-1〜４０-P）と相互に、「このようなチャネル制御の下で通信リンク２１に形成される個々のパスを介して伝送される伝送情報」の引き渡しを行う。
【０００７】
なお、以下では、パッケージ４０-1〜４０-Pに共通の事項については、添え番号「１」〜「Ｐ」の何れにも該当し得ることを意味する文字「ｃ」を符号に付加して記述する。
制御部２６は、パッケージ４０-1〜４０-Pに備えられたベースバンド処理を行うための信号処理のための資源の管理(a)〜(g)をパッケージ４０-1〜４０-P毎に行う。
(a) 伝送路終端部４１-cが行う多重化および逆多重化の下で形成されるパスの管理（ＡＴＭ方式に適合したセルの所望のフィールドとして形成されるが、伝送速度やサイズは必ずしも共通でなくてもよく、かつ上りのリンクと下りのリンクとの何れか一方として形成されてもよい。）
(b) 無線基地局３０と端末５０-1〜５０-nとの間における無線伝送に適用される個々の無線チャネル（既定のチャネル構成に適合した物理チャネル、論理チャネルおよびトランスポートチャネルを含む。）について、変調（コーディング部４２-cによって行われる。）と復調（デコーディング部４５-cによって行われる。）ハードウエアおよびソフトウエアの管理
(c) ワイドバンドＣＤＭＡ方式に適合した拡散処理（拡散部４３-cによって行われる。）と逆拡散処理（逆拡散部４４-c）とに適用されるハードウエアおよび拡散符号の管理
(d) これらの資源の割り付けおよび組み合わせを実現するためにプロセッサ４６-cによって行われる処理に供される主記憶の記憶領域の管理
(e) ベースバンド信号処理部２４との接続に供されるネットワークインタフェース部２２のポートの管理
(f) 無線送受信部２３との接続に供されるそのベースバンド信号処理部２４の入力ポートおよび出力ポートの管理
(g) 無線送受信部の管理
制御部２６は、上述した資源の内、例えば、パッケージ４０-1に備えられた資源の一部に該当し、かつ規定のチャネル構成、周波数配置およびゾーン構成（セクタ構成を含む。）に適合した資源を確保することによって、端末５０-1〜５０-nに生起した呼のチャネル制御に適用される特定の無線チャネル（物理チャネルと論理チャネルとの双方を含む。）を形成する。
【０００８】
さらに、制御部２６は、端末５０-1〜５０-nにそれぞれ生起した呼（ハンドオフを含む。）の呼設定に適合した手順で基地局制御局１０の主導の下で行われるチャネル制御の過程では、内部バス２５を介して接続されたネットワークインタフェース部２２と無線送受信部２３とを介して、それぞれ基地局制御局１０と該当する端末と間におけるチャネル制御にかかわる情報の引き渡しに併せて、参照を行う。
【０００９】
また、このようなチャネル制御の過程で該当する呼に対する新たな無線チャネルの割り付けについては、制御部２６が下記の(a)〜(c)の処理を行うことによって実現する。
(a) パッケージ４０-1〜４０-Pに備えられた資源の内の何れの呼やサービスにも割り付けられていない資源（以下、「余剰の資源」という。）であって、上記の新たな無線チャネルの割り付けに必要な「資源の組み合わせ」をこれらのパッケージ４０-1ないしパッケージ４０-Pの順に探索する。
(b) 最先に見い出された「資源の組み合わせ」を捕捉する。
(c) パッケージ４０-1〜４０-Pの内、このような「資源の組み合わせ」を有するパッケージ（以下、「特定のパッケージ」という。）４０-cに備えられたプロセッサ４６-cに、その「資源の組み合わせ」による所望の新たな無線チャネルの形成を要求する。
【００１０】
パッケージ４０-cのプロセッサ４６-cは、制御部２６からの要求に応じて、伝送路終端部４１-c、コーディング部４２-c、拡散部４３-c、逆拡散部４４-cおよびデコーディング部４５-cの資源の内、該当する「資源の組み合わせ」による上記の新たな無線チャネルの形成を要求する。
なお、上述したチャネル制御の過程における無線チャネルの解放の過程で制御部２６およびプロセッサ４６-cによって行われる処理は、既述の通りに「新たな無線チャネルの捕捉」の過程で行われる処理と反対であるので、ここでは、その詳細な説明を省略する。
【００１１】
したがって、従来例では、パッケージ４０-1〜４０-Pの台数Ｐが適切な値に設定され、かつ必要に応じて増減されることによって、無線基地局３０が形成する無線ゾーン３１における「端末５０-1〜５０-nの台数ｎ」や「最繁時の呼量（トラヒック）」の増減に対する柔軟な適応が図られる。
また、従来例では、パッケージ４０-1〜４０-Pの内、添え番号が大きいパッケージほど、多くの「余剰の資源」が残存し易いために、高速の伝送速度が要求される呼やサービスに割り付け可能な資源が確保される可能性が高い。
【特許文献１】特開２００２−３４４３７０号公報
【特許文献２】特開２００３−２５８７６３号公報
【発明の開示】
【発明が解決しようとする課題】
【００１２】
ところで、上述した従来例では、パッケージ４０-cに備えられたプロセッサ４６-cの負荷は、そのパッケージ４０-cに備えられた資源の捕捉や解放が行われる頻度が高いほど増加する。
さらに、このような頻度は、パッケージ４０-cに備えられた資源が割り付けられる呼やサービスが発生し、あるいは消滅する頻度が少なくても、その資源の量が大きいほど増加する。
【００１３】
また、近年、パッケージ４０-cには、高い集積度や実装密度を実現する技術が積極的に適用されつつあるために、これらの集積度や実装密度に応じて収容可能なチャネル数の増加が阻まれることなく上記の処理量（負荷）や頻度の低減が可能な技術が強く要望されていた。
本発明は、基本的な構成が大幅に変更されることなく、個々のパッケージの高密度実装に応じてこれらのパッケージに備えられた資源の有効な活用が可能となる網間インタフェース装置、無線基地局装置および信号処理動作管理方法を提供することを目的とする。
【課題を解決するための手段】
【００１４】
信号処理部は、第一の網と第二の網との網間インタフェースで行う信号処理を行うパッケージを複数有する。制御手段は、該パッケージで行う網間での信号処理に余剰のあるパッケージに対して優先して信号処理を割り付けるように制御する。
すなわち、信号処理にかかわる負荷は、複数のパッケージの内、特定のパッケージに偏ることなく、平均的に分散される。
【００１５】
したがって、複数のパッケージには、上記の信号処理の割り付けと、先行して行われた同様の割り付けの解除とが行われる要因となる事象が頻繁に集中して生起する状態であっても、これらの割り付けや解除に伴う負荷が特定のパッケージに偏ることなく分散される。
信号処理部は、第一の網と第二の網との網間インタフェースで行う信号処理を行うパッケージを複数有する。制御手段は、複数の該パッケージからサイクリックにパッケージを選択して信号処理を割り付けるように該複数のパッケージ間の信号処理動作を制御する。
【００１６】
すなわち、複数のパッケージには、これらの複数のパッケージの内、特定のパッケージに偏ることなく、信号処理が順次割り付けられる。
したがって、複数のパッケージには、上記の信号処理の割り付けと、先行して行われた同様の割り付けの解除とが行われる要因となる事象が頻繁に集中して生起する状態であっても、これらの割り付けや解除に伴う負荷が特定のパッケージに偏ることなく分散される。
【００１７】
無線送受信部は、無線周波信号の送受信処理をする。信号処理部は、該無線送受信部に対して移動無線端末に割り当てられるチャネル対応の信号処理を複数行うことができるパッケージを複数有する。制御部は、該パッケージ内で行われる信号処理に余剰が多いパッケージを優先して信号処理を割り付けるように該複数のパッケージ間の信号処理動作を制御する。
【００１８】
すなわち、信号処理にかかわる処理は、複数のパッケージの内、特定のパッケージに偏ることなく、平均的に分散される。
したがって、複数のパッケージには、上記の信号処理の割り付けと、先行して行われた同様の割り付けの解除とが行われる要因となる事象が頻繁に集中して生起する状態であっても、これらの割り付けや解除に伴う負荷が特定のパッケージに偏ることなく分散される。
【００１９】
無線送受信部は、無線周波信号の送受信処理をする。信号処理部は、該無線送受信部に対して移動無線端末に割り当てられるチャネル対応の信号処理を複数行うことができるパッケージを複数有する。制御部は、複数の該パッケージからサイクリックにパッケージを選択して信号処理を割り付けるように該複数のパッケージ間の信号処理動作を制御する。
すなわち、複数のパッケージには、これらの複数のパッケージの内、特定のパッケージに偏ることなく、信号処理が順次割り付けられる。
【００２０】
したがって、複数のパッケージには、上記の信号処理の割り付けと、先行して行われた同様の割り付けの解除とが行われる要因となる事象が頻繁に集中して生起する状態であっても、これらの割り付けや解除に伴う負荷が特定のパッケージに偏ることなく分散される。
無線周波信号の送受信処理をする無線送受信部と、該無線送受信部に対して移動無線端末に割り当てられるチャネル対応の信号処理を複数行うことができるパッケージを複数有する信号処理部とを備え、該パッケージ内で行われる信号処理に余剰が多いパッケージを優先して信号処理を割り付けるように該複数のパッケージ間の信号処理動作を制御する。
【００２１】
すなわち、信号処理にかかわる処理は、複数のパッケージの内、特定のパッケージに偏ることなく、平均的に分散される。
したがって、複数のパッケージには、上記の信号処理の割り付けと、先行して行われた同様の割り付けの解除とが行われる要因となる事象が頻繁に集中して生起する状態であっても、これらの割り付けや解放に伴う負荷が特定のパッケージに偏ることなく分散される。
【００２２】
複数のパッケージには、第一の網と第二の網との網間インタフェースに供される資源が個別に含まれる。制御手段は、網間インタフェースの下で第一の網と第二の網との間で引き渡されるトラヒックに、複数のパッケージの内、余剰の資源が多いパッケージの余剰の資源を優先して割り付ける。
すなわち、複数のパッケージの余剰の資源は、これらの複数のパッケージの内、特定のパッケージの余剰の資源に偏ることなく、新たなトラヒックに順次割り付けられる。
【００２３】
したがって、複数のパッケージでは、何らかのトラヒックに対する資源の割り付けと、先行して割り付けられた資源の解放とが行われる要因となる事象が頻繁に集中して生起する状態であっても、これらの割り付けや解放に伴う負荷が特定のパッケージに偏ることなく分散される。
複数のパッケージには、第一の網と第二の網との網間インタフェースに供される資源が個別に含まれる。制御手段は、複数のパッケージの内、特定のパッケージをサイクリックに選択し、網間インタフェースの下で第一の網と第二の網との間で引き渡されるトラヒックに、特定のパッケージの余剰の資源を割り付ける。
【００２４】
すなわち、複数のパッケージの余剰の資源は、これらの複数のパッケージの内、特定のパッケージの余剰の資源に偏ることなく、新たなトラヒックに順次割り付けられる。
したがって、複数のパッケージでは、何らかのトラヒックに対する資源の割り付けと、先行して割り付けられた資源の解放とが行われる要因となる事象が頻繁に集中して生起する状態であっても、これらの割り付けや解放に但う負荷が特定のパッケージに偏ることなく分散される。
【００２５】
制御手段は、伝送速度と保留時間との双方または何れか一方が大きいトラヒックほど、複数のパッケージの内、余剰の資源が少ないパッケージの余剰の資源を優先して割り付ける。
すなわち、伝送速度が高いトラヒック、あるいは長い時間に亘ってコネクションが維持されるトラヒックに割り付けられる資源には、余剰の資源の量が少ないパッケージの余剰の資源が優先的に適用される。
【００２６】
したがって、複数のパッケージの何れについても、余剰の資源の量がほぼ同じ比率に維持されるにもかかわらず、これらの余剰の資源の無用な断片化が緩和される。
再割り付け手段は、複数のパッケージに含まれる資源の内、有効なトラヒックに割り付けられている資源を余剰の資源で代替し、複数のパッケージ毎の余剰の資源の断片化を緩和する。
【００２７】
すなわち、複数のパッケージの何れの余剰の資源も、該当するパッケージの余剰の資源の断片化の緩和に有効に活用される。
したがって、伝送品質やサービス品質が損なわれることなく、多様なトラヒックに対する十分な資源の割り付けが柔軟に実現される。
再割り付け手段は、複数のパッケージの内、余剰のリソースの量が既定の下限値を下回ったパッケージに含まれ、かつ有効なトラヒックに割り付けられている資源を余剰の資源で代替し、複数のパッケージの余剰の資源の断片化を緩和する。
【００２８】
すなわち、複数のパッケージの何れの余剰の資源も、その余剰の資源が少なくなったときに、該当するパッケージの余剰の資源の断片化の緩和に有効に活用される。
したがって、既述の第四の発明に比べて、処理量の削減が図られるにもかかわらず、伝送品質やサービス品質が損なわれることなく、多様なトラヒックに対する十分な資源の割り付けが柔軟に実現される。
【００２９】
再割り付け手段は、既定の周期で、有効なトラヒックに割り付けられている資源を余剰の資源で代替する。
すなわち、各パッケージの余剰の資源の断片化が上記の周期で起動される処理の下で緩和されるので、新たに発生し、かつ資源の割り付けの対象となるトラヒックにかかわる処理の効率は、このような断片化の緩和を図る処理が並行して行われる場合に比べて効率的に行われる。
【００３０】
したがって、伝送品質やサービス品質が低下することなく、余剰の資源の有効な活用が図られる。
再割り付け手段は、既存のトラヒックが消滅する度に、有効なトラヒックに割り付けられている資源を余剰の資源で代替する。
すなわち、各パッケージの余剰の資源の断片化は、その断片化の要因となる可能性があるトラヒックが消滅する度に試行される。
【００３１】
したがって、何れのパッケージについても、余剰の資源が断片化した状態が継続する期間の長さの短縮が図られるので、多様なトラヒックに対する十分な資源の割り付けが柔軟に実現される。
再割り付け手段は、新たに発生したトラヒックに余剰の資源が割り付けられても断片化が許容されない程度に進んでいるときに、有効なトラヒックに割り付けられている資源を余剰の資源で代替する。
【００３２】
すなわち、各パッケージの余剰の資源の断片化は、「新たに発生したトラヒックに余剰の資源が割り付けられた時点」で許容される程度に抑制される。
したがって、何れのパッケージについても、余剰の資源が過度に断片化した状態が継続する期間の長さの短縮が図られるので、多様なトラヒックに対する十分な資源の割り付けが柔軟に実現される。
【００３３】
制御手段は、トラヒックに、網間インタフェースの過程で第一の網または第二の網から通知されたトラヒックの属性に適合する資源を割り付ける。
すなわち、複数のパッケージに備えられた余剰の資源は、第一または第二の網との連係の下で、上述したトラヒックの属性に適合した資源の組み合わせとしてそのトラヒックに割り付けられる。
【００３４】
したがって、このような余剰の資源の割り付けや解放の契機となる事象が頻繁に集中して生起する状態であっても、新たに生起したトラヒックと、既存のトラヒックとにかかわる通信制御が円滑に行われ、かつ資源の確保が必ずしも確実に達成されないことに起因する伝送品質やサービス品質の低下が抑制される。
複数のパッケージには、網または基地局制御局との間に敷設された伝送路と無線ゾーンとのインタフェースに供される資源が個別に含まれる。制御手段は、インタフェースの下で網または伝送路と無線ゾーンとの間で引き渡されるトラヒックに、複数のパッケージの内、余剰の資源が多いパッケージの余剰の資源を優先して割り付ける。
【００３５】
すなわち、複数のパッケージの余剰の資源は、これらの複数のパッケージの内、特定のパッケージの余剰の資源に偏ることなく、新たなトラヒックに順次割り付けられる。
したがって、複数のパッケージでは、何らかのトラヒックに対する資源の割り付けと、先行して割り付けられた資源の解放とが行われぞ)要因となる事象が頻繁に集中して生起する状態であっても、これらの割り付けや解放に伴う負荷が特定のパッケージに偏ることなく分散される。
【００３６】
複数のパッケージには、網または基地局制御局との間に敷設された伝送路と無線ゾーンとのインタフェースに供される資源が個別に含まれる。制御手段は、複数のパッケージの内、特定のパッケージをサイクリックに選択し、インタフェースの下で網または伝送路と無線ゾーンとの間で引き渡されるトラヒックに、特定のパッケージの余剰の資源を割り付ける。
【００３７】
すなわち、複数のパッケージの余剰の資源は、これらの複数のパッケージの内、特定のパッケージの余剰の資源に偏ることなく、新たなトラヒックに順次割り付けられる。
したがって、複数のパッケージでは、何らかのトラヒックに対する資源の割り付けと、先行して割り付けられた資源の解放とが行われる要因となる事象が頻繁に集中して生起する状態であっても、これらの割り付けや解放に伴う負荷が特定のパッケージに偏ることなく分散される。
【００３８】
制御手段は、伝送速度と保留時間との双方または何れか一方が大きいトラヒックほど、複数のパッケージの内、余剰の資源が少ないパッケージの余剰の資源を優先して割り付ける。
すなわち、伝送速度が高いトラヒック、あるいは長い時間に亘って無線チャネル等のコネクションが維持されるトラヒックに割り付けられる資源には、余剰の資源の量が少ないパッケージの余剰の資源が優先的に適用される。
【００３９】
したがって、複数のパッケージの何れについても、余剰の資源の量がほぼ同じ比率に維持されるにもかかわらず、これらの余剰の資源の無用な断片化が緩和される。
再割り付け手段は、複数のパッケージに含まれる資源の内、有効なトラヒックに割り付けられている資源を余剰の資源で代替し、複数のパッケージ毎の余剰の資源の断片化を緩和する。
【００４０】
すなわち、複数のパッケージの何れの余剰の資源も、該当するパッケージの余剰の資源の断片化の緩和に有効に活用される。
したがって、伝送品質やサービス品質が損なわれることなく、多様なトラヒックに対する十分な資源の割り付けが柔軟に実現される。
再割り付け手段は、複数のパッケージの内、余剰のリソースの量が既定の下限値を下回ったパッケージに含まれ、かつ有効なトラヒックに割り付けられている資源を余剰の資源で代替し、複数のパッケージの余剰の資源の断片化を緩和する。
【００４１】
すなわち、複数のパッケージの何れの余剰の資源も、その余剰の資源が少なくなったときに、該当するパッケージの余剰の資源の断片化の緩和に有効に活用される。
したがって、既述の第十三の発明に比べて、処理量の削減が図られるにもかかわらず、伝送品質やサービス品質が損なわれることなく、多様なトラヒックに対する十分な資源の割り付けの柔軟な実現が可能となる。
【００４２】
制御手段は、トラヒックに、インタフェースの過程で網または伝送路もしくは無線ゾーンを介して通知されたトラヒックの属性に適合する組み合わせの資源を割り付ける。
すなわち、複数のパッケージに備えられた余剰の資源は、網もしくは伝送路を介して接続された基地局制御局、または無線ゾーンに位置する端末との連係の下で、上述したトラヒックの属性に適合した資源の組み合わせとしてそのトラヒックに割り付けられる。
【００４３】
したがって、このような余剰の資源の割り付けや解放の契機となる事象が頻繁に集中して生起する状態であっても、新たに生起したトラヒックと、既存のトラヒックとにかかわる通信制御が円滑に行われ、かつ資源の確保が必ずしも確実に達成されないことに起因する伝送品質やサービス品質の低下が抑制される。
網または基地局制御局との間に敷設された伝送路と無線ゾーンとのインタフェースの下で網または伝送路と無線ゾーンとの間で引き渡されるトラヒックに、インタフェースに供される資源を個別に含む複数のパッケージの内、余剰の資源が多いパッケージの余剰の資源が優先して割り付けられる。
【００４４】
すなわち、複数のパッケージの余剰の資源は、これらの複数のパッケージの内、特定のパッケージの余剰の資源に偏ることなく、新たなトラヒックに順次割り付けられる。
したがって、複数のパッケージでは、何らかのトラヒックに対する資源の割り付けと、先行して割り付けられた資源の解放とが行われる要因となる事象が頻繁に集中して生起する状態であっても、これらの割り付けや解放に伴う負荷が特定のパッケージに偏ることなく分散される。
【発明の効果】
【００４５】
複数のパッケージには、信号処理の割り付けと、先行して行われた同様の割り付けの解除とが行われる要因となる事象が頻繁に集中して生起する状態であっても、これらの割り付けや解放に伴う負荷が特定のパッケージに偏ることなく分散される。
何らかのトラヒックに対する資源の割り付けと、先行して割り付けられた資源の解放とが行われる要因となる事象が頻繁に集中して生起する状態であっても、これらの割り付けや解放に伴う負荷が特定のパッケージに偏ることなく分散される。
【００４６】
複数のパッケージの何れについても、余剰の資源の量がほぼ同じ比率に維持されるにもかかわらず、これらの余剰の資源の無用な断片化が緩和される。
伝送品質やサービス品質が損なわれることなく、多様なトラヒックに対する十分な資源の割り付けが柔軟に実現される。
処理量の削減が図られるにもかかわらず、伝送品質やサービス品質が損なわれることなく、多様なトラヒックに対する十分な資源の割り付けが柔軟に実現される。
【００４７】
伝送品質やサービス品質が低下することなく、余剰の資源の有効な活用が図られる。
多様なトラヒックに対する十分な資源の割り付けが柔軟に実現される。
余剰の資源の割り付けや解放の契機となる事象が頻繁に集中して生起する状態であっても、新たに生起したトラヒックと、既存のトラヒックとにかかわる通信制御が円滑に行われ、かつ資源の確保が必ずしも確実に達成されないことに起因する伝送品質やサービス品質の低下が抑制される。
【００４８】
したがって、これらの発明が適用された通信システムでは、基本的な構成が大幅に変更されることなく安価に性能および信頼性が高められる。
【発明を実施するための最良の形態】
【００４９】
以下、図面に基づいて本発明の実施形態について詳細に説明する。
図１は、本発明の第一の実施形態の動作フローチャートである。
［第一の実施形態］
以下、図１および図７を参照して本発明の第一の実施形態の動作を説明する。
本実施形態の特徴は、無線基地局３０に備えられた制御部２６によって行われる下記の処理の手順にある。
【００５０】
制御部２６の主記憶の特定の記憶領域には、図２に示すように、パッケージ４０-1〜４０-Pに個別に対応した面を有し、新たな無線チャネルの信号処理に適用される「資源の組み合わせ」の要素となる最小の単位（以下、「単位資源」という。）による既述の資源(a)〜(f)の割り付けの可否と、その割り付けの対象となった無線チャネルとの一元的な管理に供される資源管理テーブル２６Ｔが配置される。なお、以下では、このような資源管理テーブル２６Ｔに含まれ、かつ個々の単位資源に対応する語は、ＭＳＢの値（＝１／０）がそれぞれ「空いている状態」と「何らかの無線チャネル等に割り付けられている状態」との何れかを意味し、そのＭＳＢの下位のビットが「割り付けの対象となった無線チャネル」を意味すると仮定する。
【００５１】
さらに、制御部２６の主記憶の他の記憶領域には、図２に点線で示すように、上記の資源管理テーブル２６Ｔの第１ないし第Ｐの面の何れかを示すポインタｉ（＝１〜Ｐ）が格納されるポインタ２６Ｐが配置される。
また、端末５０-1〜５０-nにそれぞれ生起した呼（ハンドオフを含む。）の呼設定の手順に基づいて基地局制御局１０の主導の下で行われるチャネル制御の過程では、制御部２６は、従来例と同様に、内部バス２５を介して接続されたネットワークインタフェース部２２と無線送受信部２３と連係することによって、基地局制御局１０と該当する端末と間における「チャネル制御にかかわる情報」の引き渡しおよび参照を行う。
【００５２】
さらに、制御部２６は、このようなチャネル制御の過程における該当する呼への新たな無線チャネルの割り付けを下記の処理として実現する。
(1) カウンタ（図示されないが、制御部２６が有するレジスタ、またはその制御部２６の主記憶の記憶領域内、上記の資源管理テーブル２６Ｔとポインタ２６Ｔとの何れにも該当しない記憶領域として構成される。）の値Ｎを「１」に初期化する（図１(1))。
(2) ポインタ２６の値ｉを更新することなく、その値ｉに対応した資源管理テーブル２６Ｔの第ｉの面を参照することによって、その面に対応するパッケージ４０-iの「余剰の資源」の範囲で新たな無線チャネルの割り付けに必要な「資源の組み合わせ」の確保が可能であるか判定し（図１(2))、その「資源の組み合わせ」の確保が可能である場合には、後述する処理(7) を開始する。
(3) また、このような「資源の組み合わせ」の確保が可能でない場合には、ポインタ２６Ｐの値ｉと、「パッケージ４０-Pに対応した値（＝Ｐ）」との間に不等式ｉ≧Ｐが成立するか否かを判別し（図１(3))、その不等式が成立する場合には、ポインタ２６Ｐの値ｉを「１」に初期化した（図１(4))後にカウンタの値Ｎをインクリメントし（図１(5))、さらに、上記(2) 以下の処理を再度行う。
(4) しかし、この不等式が成立しない場合には、カウンタの値Ｎと上記の「パッケージ４０-Pに対応した値（＝Ｐ）」とを比較する（図１(6))。
(5) さらに、両者が等しくない場合には、ポインタ２６Ｐの値ｉとカウンタの値Ｎとをそれぞれインクリメントした（図１(7)、(8))後に、上記(2) 以下の処理を再度行う。
(6) 上述したカウンタの値Ｎと上記の「パッケージ４０-Pに対応した値（＝Ｐ）」とが等しい（すなわち、パッケージ４０-1〜４０-Pの何れの「余剰の資源」の範囲でも「資源の組み合わせ」の確保が困難である）場合には、該当する新たな無線チャネルの割り付けが行われる呼やサービスにかかわるチャネル制御を中断する（図１(9))。
(7) 上述した判定（図１(2))の下で「資源の組み合わせ」の確保が可能である場合には、資源管理テーブル２６Ｔの面の内、この時点におけるポインタ２６Ｐの値ｉに対応した第ｉの面に、該当する「資源の組み合わせ」の割り付けを意味する情報を格納する（図１(10)) ことによって、その「資源の組み合わせ」を構成する全ての単位資源を捕捉する。
(8) パッケージ４０-iに備えられたプロセッサ４６-iに、該当する新たな無線チャネルに対するこれらの単位資源の集合の割り付けを要求し（図１(11)) 、かつポインタ２６Ｔの値ｉをインクリメントする（図１(12)) 。
【００５３】
また、上述したチャネル制御の手順に基づく無線チャネルの解放については、制御部２６は、下記の処理として実現する。
・  パッケージ４０-1〜４０-Pの内、解放の対象となる無線チャネルに割り付けられた「資源の組み合わせ」が属するパッケージ４０-iを特定する。
・  資源管理テーブル２６Ｔの面の内、このパッケージ４０-iに対応した第ｉの面の語であって、ＭＳＢの値が「０」であり、かつそのＭＳＢの下位のビットが「解放の対象である無線チャネル」を示す全ての語のＭＳＢを「１」に設定する。
【００５４】
すなわち、パッケージ４０-1〜４０-Pの余剰の資源は、これらのパッケージ４０-1〜４０-Pの内、特定のパッケージの余剰の資源に偏ることなく、新たな無線チャネルに既述の「資源の組み合わせ」として順次割り付けられる。
したがって、既述の単位資源の割り付け（捕捉）および解放が行われる要因となる発信、着信、ハンドオフ、終話その他の事象が頻繁に集中して生起する状態であっても、これらの割り付けや解放に伴うプロセッサ４６-c（パッケージ４０-c）の負荷は、パッケージ４０-1〜４０-Pにほぼ同じ比率で分散される。
［第二の実施形態］
図３は、本発明の第二の実施形態の動作フローチャートである。なお、図３では、上述した第一の実施形態において行われる処理との対応関係を明確に示すために、図１に示す処理に対応する処理については、その図１において付された番号と同じ番号を付与して示す。
【００５５】
以下、図２、図３および図７を参照して本発明の第二の実施形態の動作を説明する。
制御部２６の主記憶には、既述の資源管理テーブル２６Ｔ、ポインタ２６Ｐおよびカウンタに併せて、図４に示すように、下記の通りに構成されたパッケージ優先テーブル２６ｐｔが配置される。
・  パッケージ４０-1〜４０-Pにそれぞれ対応した語が後述する順序で格納されるＰ個のレコードの列として構成される。
・  各レコードに格納される語は、パッケージ４０-1〜４０-Pを既述の余剰の資源の量が少ない順に示すインデックスｊ（＝１〜Ｐの何れかの値）が格納される。
【００５６】
制御部２６は、始動時には、パッケージ優先テーブル２６ｐｔの先頭のレコードないし末尾の各レコードに、初期値として「１」、「２」、…「Ｐ」をそれぞれ格納する。
さらに、制御部２６は、チャネル制御の過程でパッケージ４０-1〜４０-Pの何れかの「余剰の資源」が割り付けによって減少した契機と、反対に解放によって増加した契機との双方において、資源管理テーブル２６Ｔを参照することによって、これらのパッケージ４０-1〜４０-Pを「余剰の資源」の少ない順にソーティングし、その「余剰の資源」の量の昇順にパッケージ４０-1〜４０-Pを示すインデックスｊの列に、パッケージ優先テーブル２６ｐｔの各レコードの値を更新する（図３(a))。
【００５７】
また、制御部２６は、チャネル制御の手順に基づいて新たな無線チャネルに対する資源の割り付けが必要なときには、その新たな無線チャネルが下記の無線チャネルの何れか（以下、「特定の無線チャネル」という。）に該当するか判別する。
・  通話信号等の伝送に供されるトラヒックチャネルのように、平均的な保留時間が長めとなる可能性が高い無線チャネル
・  データ通信に供されるトラヒックチャネルのように、保留時間が短くても、電話系の呼に適用されるトラヒックチャネルに比べて、大幅に伝送速度が高い無線チャネル
さらに、制御部２６は、このような「特定の無線チャネル」に該当しない無線チャネルに対する資源の割り付けについては、既述の第一の実施形態と同じ手順に基づいて「資源の組み合わせ」の割り付けを行う。
【００５８】
しかし、該当する無線チャネルが上記の「特定の無線チャネル」に相当する場合には、制御部２６は、下記の手順に基づいてその「特定の無線チャネル」に対する「資源の組み合わせ」の割り付けを行う。
(1) カウンタ値Ｎを「１」に初期化する（図３(1))。
(2) パッケージ優先テーブル２６のレコードの内、この時点におけるカウンタ値Ｎに対応したレコードの内容（インデックスｊ）を参照する。
(3) 資源管理テーブル２６Ｔの面の内、このようなインデックスｊで示される第ｊの面を参照することによって、その面に対応するパッケージ４０-jの「余剰の資源」の範囲で新たな無線チャネルの割り付けに必要な「資源の組み合わせ」の確保が可能であるか判定し（図３(2))、その「資源の組み合わせ」の確保が可能である場合には、後述する処理(7) を開始する。
(4) また、このような「資源の組み合わせ」の確保が可能でない場合には、カウンタの値Ｎと上記の「パッケージ４０-Pに対応した値（＝Ｐ）」とを比較する（図３(6))。
(5) さらに、両者が等しくない場合には、カウンタの値Ｎをインクリメントした（図３(8))後に、上記(2) 以下の処理を再度行う。
(6) しかし、上述したカウンタの値Ｎと上記の「パッケージ４０-Pに対応した値（＝Ｐ）」とが等しい（すなわち、パッケージ４０-1〜４０-Pの何れの「余剰の資源」の範囲でも「資源の組み合わせ」の確保が困難である）場合には、該当する新たな無線チャネルの割り付けが行われる呼やサービスにかかわるチャネル制御を中断する（図３(9))。
(7) 上述した判定（図３(2))の下で「資源の組み合わせ」の確保が可能である場合には、資源管理テーブル２６Ｔの面の内、この時点におけるインデックスｊの値に対応した第ｊの面に、該当する「資源の組み合わせ」の割り付けを意味する情報を格納する（図３(10)) ことによって、その「資源の組み合わせ」を構成する全ての単位資源を捕捉し、かつパッケージ４０-jに備えられたプロセッサ４６-jに、該当する新たな無線チャネルに対するこれらの単位資源の集合の割り付けを要求する（図３(11)) 。
【００５９】
すなわち、伝送速度が高い無線チャネル、あるいは長い時間に亘って捕捉される可能性が高い無線チャネルの割り付けに供される資源には、パッケージ４０-1〜４０-Pの内、余剰の資源の量が少ないパッケージの余剰の資源が優先的に適用される。
したがって、本実施形態によれば、パッケージ４０-1〜４０-Pの余剰の資源の量がほぼ同じ比率に維持されるにもかかわらず、これらのパッケージ４０-1〜４０-Pの何れについても、余剰の資源の無用な断片化の緩和が図られる。
［第三の実施形態］
図５は、本発明の第三の実施形態の動作フローチャートである。
【００６０】
以下、図４、図５および図７を参照して本発明の第三の実施形態の動作を説明する。
本実施形態の特徴は、制御部２６によって行われる下記の処理の手順にある。
パッケージ優先テーブル２６ｐｔには、図４に点線で示すように、このパッケージ優先テーブル２６ｐｔのレコード毎に格納されるインデックスｊに併せて、パッケージ４０-1〜４０-Pの内、このインデックスｊで示されるパッケージの余剰の資源の量が既定の閾値を下回っているときに、論理値が「１」に設定され、反対に上回っているときに論理値が「０」に設定されるフラグｆのフィールドが付加される。
【００６１】
制御部２６は、既述の第二の実施形態と同様の手順に基づいてパッケージ優先テーブル２６ｐｔの更新を行う（図３(a))。その更新の過程では、制御部２６は、資源管理テーブル２６Ｔの面の内、個々のインデックスｊで示されるパッケージ４０-jに対応した面を参照し、かつ単位資源の種別毎に、余剰の資源として残存する単位資源の比率を総合的に評価することによって、対応するフラグｆのフィールドの論理値を「１」または「０」に設定する。
【００６２】
また、制御部２６は、所定の周期で下記の処理（以下、「資源代替処理」という。）を行う。
・  パッケージ優先テーブル２６ｐｔのレコードの内、フラグｆのフィールドの論理値が「１」であるレコードの語として与えられるインデックスｊを順次特定する（図５(1))。
・  資源管理テーブル２６Ｔの面の内、このインデックスｊに対応する第ｊの面における「余剰の資源」と、他の資源（以下、「被代替資源」という。）との単位資源毎の分布を個々の資源の種別について識別する（図５(2))。
・  このようにして識別された「被代替資源」の内、断片化された単位資源を含んで構成される「被代替資源」（以下、「特定の被代替資源」という。）を特定する（図５(3))。
・  さらに、「余剰の資源」であって、上記の「特定の被代替資源」の代替に供することが可能であり、かつ断片化されていない単位資源の集合（以下、「特定の余剰の資源」という。）を探索する（図５(4))。
・  このような「特定の余剰の資源」が存在する場合には、ネットワークインタフェース部２２、無線送受信部２３およびパッケージ４０-1〜４０-P（プロセッサ４６-1〜４６-P）と連係することによって、その「特定の余剰の資源」による該当する「被代替資源」の代替を図る（図５(5))。
【００６３】
すなわち、「余剰の資源」に該当しない資源の内、断片化された資源は、このような断片化を伴わない「余剰の資源」で代替される。
したがって、本実施形態によれば、パッケージ４０-1〜４０-Pの何れでも、個々の種別の単位資源にかかわる割り付けと解放との反復に応じた断片化の進行と過度の断片化との抑制が図られる。
【００６４】
なお、本実施形態では、「余剰の資源」の量が少ないパッケージほど優先的に、既述の「特定の余剰の資源」による「被代替資源」の代替が図られている。
しかし、本発明はこのような構成に限定されず、制御部２６だけではなく、ネットワークインタフェース部２２、無線送受信部２３およびパッケージ４０-1〜４０-P（プロセッサ４６-1〜４６-P）の負荷の増加が許容される場合には、上記の「余剰の資源」の量の如何にかかわらず、全てのパッケージについて、「特定の余剰の資源」による「被代替資源」の代替が図られてもよい。
【００６５】
また、本実施形態では、既述の「資源代替処理」が所定の周期で起動されている。
しかし、このような「資源代替処理」が起動される契機は、例えば、下記の事象が生起した契機であってもよい。
・  既存の呼（ハンドオーバを含む。）や完了呼の消滅
・  新たに生起した呼に対する余剰の資源の割り付けが可能であっても、その呼に割り付けられる資源の種別の何れかに既に発生している断片化が許容されない程度に著しいとき
さらに、本実施形態では、何れの「被代替資源」も、その「被代替資源」と共通のパッケージに備えられた「特定の余剰の資源」で代替されている。
【００６６】
しかし、本発明はこのような構成に限定されず、上述した「被代替資源」と「特定の余剰の資源」とがそれぞれ存在するパッケージは、そのパッケージとネットワークインタフェース部２２および無線送受信部２３との連係による円滑な切り替えが実現され、あるいはこのような切り替えに伴う伝送品質やサービス品質の低下が許容される場合には、異なるパッケージであってもよい。
［第四の実施形態］
図６は、本発明の第四の実施形態の動作を説明する図である。
【００６７】
以下、図６および図７を参照して本発明の第四の実施形態の動作を説明する。
端末５０-1〜５０-nの内、発信呼が生起した端末５０-1は、「トランスポートチャネルであるＲＡＣＨ(Random Access Channel) 」と無線基地局３０とを介して基地局制御局３０宛に、「論理チャネルであるＤＣＣＨ(Dedicated Control Channel) の設定の要求（以下、「ＤＣＣＨ設定要求」と称し、該当する「発信呼の属性を示す情報」が含まれると仮定する。）を送信する（図６(1))。
【００６８】
基地局制御局３０は、この「ＤＣＣＨ設定要求」を識別すると、下記の処理を行う。
・  無線基地局３０とトランスポートチャネルであるＦＡＣＨ(Forward Access Channel)とを介して端末５０-1宛に、「ＤＣＣＨ設定受け付け」を送信する（図６(2))。
・  通信リンク２１を介して無線基地局３０宛に、上述した「発信呼の属性を示す情報」を含む「ＤＣＣＨ設定指示」を送出する（図６(3))。
【００６９】
無線基地局３０では、制御部２６は、この「ＤＣＣＨ設定指示」を識別すると、下記の処理を行う。
・  該当する「ＤＣＣＨ設定指示」に含まれ、かつ上述した「発信呼の属性を示す情報」に基づいて、その発信呼のチャネル制御および呼設定の過程で適用され得る資源の組み合わせを特定する（図６(4))。
・  既述の第一ないし第三の実施形態の何れかと同じ手順に基づいて、このようにして特定された「資源の組み合わせ」を確保する処理（以下、「ＤＣＣＨ割り当て処理」という。）を行う（図６(5))。なお、例えば、この「ＤＣＣＨ割り当て処理」の過程では、例えば、ハードハンドオーバに適用される資源のように、この時点で必ずしも捕捉されなくてもよい資源が実際に適用される時点に先行して捕捉されてもよい。
・  通信リンク２１を介して基地局制御局１０宛に、「ＤＣＣＨ割り当て処理」の完了を示す「ＤＣＣＨ設定応答」を送出する（図６(6))。
・  「ＤＣＣＨ割り当て処理」の下で確保され、かつ割り付けられたＤＣＣＨを介して端末５０-1と連係することによって、無線基地局３０とその端末５０-1との間における同期確立を図る（図６(7))。
・  既定の呼設定の手順に基づいて端末５０-1と基地局制御局１０との間で相互に引き渡されるメッセージ「呼設定要求」、「呼設定要求受け付け」の中継を行い（図６(8))、その呼設定の過程で通信リンク２１を介して基地局制御局１０から与えられたメッセージ「サービス追加設定指示」に応じて、既述の第一ないし第三の実施形態と同様の手順に基づいて、トラヒックの伝送に供される論理チャネルであるＤＴＣＨ(Dedicated Traffic Channel) の割り付けを行い、そのＤＴＣＨの疎通を図ることによって、音声、パケット、非制限デジタル信号等の伝送サービスを実現する（図６(9))。
【００７０】
すなわち、無線基地局３０では、発信呼が生起した端末５０-1と基地局制御局１０との連係の下で、パッケージ４０-1〜４０-Pに備えられた資源の内、その発信呼の種別やサービスの形態に適合した単位資源の組み合わせが確度高く確保される。
したがって、本実施形態によれば、資源の捕捉や解放の契機となる事象が頻繁に集中して生起する状態であっても、パッケージ４０-1〜４０-P（プロセッサ４６-1〜４６-P）の負荷分散が既述の第一ないし第三の実施形態と同様に達成され、かつチャネル制御や呼設定の円滑化と、資源の確保が不確実であることに起因する無用な呼損の発生の防止とが図られるので、サービス品質が総合的に高められる。
【００７１】
なお、本実施形態では、端末５０-1に生起した発信呼の属性は、基地局制御局１０に一旦引き渡され、さらに、その基地局制御局１０によって無線基地局３０に引き渡されることによって、その属性に適応した資源の組み合わせの確保が図られている。
しかし、このような属性は、例えば、端末５０-1に生起した着信呼、ハンドオーバの何れの場合であっても、これらの着信呼やハンドオーバの過程で確保され、かつ割り付けの対象となる単位資源の組み合わせの特定に適用可能であるならば、下記の何れから引き渡されてもよい。
・  着信呼の発信元が収容されたアクセス網（公衆電話網と移動通信網との何れであってもよい。）
・  ハンドオーバの移行元の無線ゾーンを形成する無線基地局、あるいはその無線ゾーンにかかわるチャネル制御を行う基地局制御局
また、上述した各実施形態では、ワイドバンドＣＤＭＡ方式が適用された移動通信システムの無線基地局に本発明が適用されている。
【００７２】
しかし、本発明は、このような無線基地局に限定されず、トラヒックに対して異なる複数のパッケージに備えられた資源の何れかが割り付けられても作動するならば、例えば、異なる網（または伝送路）の間のインタフェースをとる網間インタフェース装置その他の多様な装置やシステムにも適用可能である。
さらに、本発明に基づいて割り付けられる資源は、このように本発明が適用される装置やシステムに適合したどのような資源であってもよい。
【００７３】
また、上述した各実施形態では、無線基地局３０には単一の無線送受信部２３が備えられている。
しかし、本発明は、このような構成に限定されず、例えば、個々のセクタゾーンに対応した複数の無線送受信部が備えられた無線基地局にも同様に適用可能である。
さらに、上述した各実施形態では、本発明は、制御部２６の配下で多様な呼やサービスに適合したディジタル処理をベースバンド領域で行うパッケージ４０-1〜４０-Pの資源の割り付けに適用されている。
【００７４】
しかし、割り付けられた資源によって行われる処理の全てまたは一部は、ベースバンド領域だけではなく、多様な周波数帯で行われる処理であってもよく、かつディジタル領域ではなくアナログ領域で行われてもよい。
なお、本発明は、上述した実施形態に限定されるものではなく、本発明の範囲において多様な形態による実施形態が可能であり、かつ構成装置の全てまたは一部に如何なる改良が施されてもよい。
【００７５】
以下、上述した各実施形態として開示された発明を階層的・多面的に整理し、付記項として列記する。
（付記１）  第一の網と第二の網との網間インタフェースに供される資源を個別に含む複数のパッケージと、
前記網間インタフェースの下で前記第一の絹と前記第二の網との間で引き渡されるトラヒックに、前記複数のパッケージの内、余剰の資源が多いパッケージの余剰の資源を優先して割り付ける制御手段と
を備えたことを特徴とする網間インタフェース装置。
（付記２）  第一の網と第二の網との網間インタフェースに供される資源を個別に含む複数のパッケージと、
前記複数のパッケージの内、特定のパッケージをサイクリックに選択し、前記網間インタフェースの下で前記第一の網と前記第二の網との間で引き渡されるトラヒックに、前記特定のパッケージの余剰の資源を割り付ける制御手段と
を備えたことを特徴とする網間インタフェース装置。
（付記３）  付記１または付記２に記載の網間インタフェース装置において、
前記制御手段は、
伝送速度と保留時間との双方または何れか一方が大きいトラヒックほど、前記複数のパッケージの内、余剰の資源が少ないパッケージの余剰の資源を優先して割り付ける
ことを特徴とする網間インタフェース装置。
（付記４）  付記１ないし付記３の何れか１項に記載の網間インタフェース装置において、
前記複数のパッケージに含まれる資源の内、有効なトラヒックに割り付けられている資源を余剰の資源で代替し、前記複数のパッケージ毎の余剰の資源の断片化を緩和する再割り付け手段を備えた
ことを特徴とする網間インタフェース装置。
（付記５）  付記１ないし付記３の何れか１項に記載の網間インタフェース装置において、
前記複数のパッケージの内、余剰のリソースの量が既定の下限値を下回ったパッケージに含まれ、かつ有効なトラヒックに割り付けられている資源を余剰の資源で代替し、前記複数のパッケージの余剰の資源の断片化を緩和する再割り付け手段を備えた
ことを特徴とする網間インタフェース装置。
（付記６）  付記４または付記５に記載の網間インタフェース装置において、
前記再割り付け手段は、
既定の周期で、前記有効なトラヒックに割り付けられている資源を余剰の資源で代替する
ことを特徴とする網間インタフェース装置。
（付記７）  付記４または付記５に記載の網間インタフェース装置において、
前記再割り付け手段は、
既存のトラヒックが消滅する度に、前記有効なトラヒックに割り付けられている資源を余剰の資源で代替する
ことを特徴とする網間インタフェース装置。
（付記８）  付記４または付記５に記載の網間インタフェース装置において、
前記再割り付け手段は、
新たに発生したトラヒックに余剰の資源が割り付けられても前記断片化が許容されない程度に進んでいるときに、前記有効なトラヒックに割り付けられている資源を余剰の資源で代替する
ことを特徴とする網間インタフェース装置。
（付記９）  付記１ないし付記８の何れか１項に記載の網間インタフェース装置において、
前記制御手段は、
前記トラヒックに、前記網間インタフェースの過程で前記第一の網または前記第二の網から通知された前記トラヒックの属性に適合する資源を割り付ける
ことを特徴とする網間インタフェース装置。
（付記１０）  網または基地局制御局との間に敷設された伝送路と無線ゾーンとのインタフェースに供される資源を個別に含む複数のパッケージと、
前記インタフェースの下で前記網または前記伝送路と前記無線ゾーンとの間で引き渡されるトラヒックに、前記複数のパッケージの内、余剰の資源が多いパッケージの余剰の資源を優先して割り付ける制御手段と
を備えたことを特徴とする無線基地局装置。
（付記１１）  網または基地局制御局との間に敷設された伝送路と無線ゾーンとのインタフェースに供される資源を個別に含む複数のこ乙ごニこツトと、
前記複数のパッケージの内、特定のパッケージをサイクリックに選択し、前記インタフェースの下で前記網または前記伝送路と前記無線ゾーンとの間で引き渡されるトラヒックに、前記特定のパッケージの余剰の資源を割り付ける制御手段と
を備えたことを特徴とする無線基地局装置。
（付記１２）  付記１０また付記１１に記載の無線基地局装置において、
前記制御手段は、
伝送速度と保留時間との双方または何れか一方が大きいトラヒックほど、前記複数のパッケージの内、余剰の資源が少ないパッケージの余剰の資源を優先して割り付ける
ことを特徴とする無線基地局装置。
（付記１３）  付記１０ないし付記１２の何れか１項に記載の無線基地局装置において、
前記複数のパッケージに含まれる資源の内、有効なトラヒックに割り付けられている資源を余剰の資源で代替し、前記複数のパッケージ毎の余剰の資源の断片化を緩和する再割り付け手段を備えた
ことを特徴とする無線基地局装置。
（付記１４）  付記１０ないし付記１２の何れか１項に記載の無線基地局装置において、
前記複数のパッケージの内、余剰のリソースの量が既定の下限値を下回ったパッケージに含まれ、かつ有効なトラヒックに割り付けられている資源を余剰の資源で代替し、前記複数のパッケージの余剰の資源の断片化を緩和する再割り付け手段を備えた
ことを特徴とする無線基地局装置。
（付記１５）  付記１０ないし付記１４の何れか１項に記載の無線基地局装置において、
前記制御手段は、
前記トラヒックに、前記インタフェースの過程で前記網または前記伝送路もしくは前記無線ゾーンを介して通知された前記トラヒックの属性に適合する資源を割り付ける
ことを特徴とする無線基地局装置。
（付記１６）  網または基地局制御局との間に敷設された伝送路と無線ゾーンとのインタフェースの下で前記網または伝送路と前記無組ゾーンとの間で引き渡されるトラヒックに、前記インタフェースに供される資源を個別に含む複数のパッケージの内、余剰の資源が多いパッケージの余剰の資源を優先して割り付ける
ことを特徴とする資源管理方法。
（付記１７）  第一の網と第二の網との網間インタフェースで行う信号処理を行うパッケージを複数有する信号処理部と、該パッケージで行う網間での信号処理に余剰のあるパッケージに対して優先して信号処理を割り付けるように制御する制御手段とを備えたことを特徴とする網間インタフェース装置。
（付記１８）  第一の網と第二の網との網間インタフェースで行う信号処理を行うパッケージを複数有する信号処理部と、複数の該パッケージからサイクリックにパッケージを選択して信号処理を割り付けるように該複数のパッケージ間の信号処理動作を制御する制御手段とを備えたことを特徴とする網間インタフェース装置。
（付記１９）  無線周波信号の送受信処理をする無線送受信部と、該無線送受信部に対して移動無線端末に割り当てられるチャネル対応の信号処理を複数行うことができるパッケージを複数有する信号処理部とを備え、該パッケージ内で行われる信号処理に余剰が多いパッケージを優先して信号処理を割り付けるように該複数のパッケージ間の信号処理動作を制御する制御部とを備えたことを特徴とする無線基地局装置。
（付記２０）  無線周波信号の送受信処理をする無線送受信部と、該無線送受信部に対して移動無線端末に割り当てられるチャネル対応の信号処理を複数行うことができるパッケージを複数有する信号処理部とを備え、複数の該パッケージからサイクリックにパッケージを選択して信号処理を割り付けるように該複数のパッケージ間の信号処理動作を制御する制御部とを備えたことを特徴とする無線基地局装置。
（付記２１）  無線周波信号の送受信処理をする無線送受信部と、該無線送受信部に対して移動無線端末に割り当てられるチャネル対応の信号処理を複数行うことができるパッケージを複数有する信号処理部とを備え、該パッケージ内で行われる信号処理に余剰が多いパッケージを優先して信号処理を割り付けるように該複数のパッケージ間の信号処理動作を制御することを特徴とする信号処理動作管理方法。
【図面の簡単な説明】
【００７６】
【図１】本発明の第一の実施形態の動作フローチャートである。
【図２】資源管理テーブルの構成を示す図である。
【図３】本発明の第二の実施形態の動作フローチャートである。
【図４】パッケージ優先テーブルの構成を示す図である。
【図５】本発明の第三の実施形態の動作フローチャートである。
【図６】本発明の第四の実施形態の動作を説明する図である。
【図７】ワイドバンドＣＤＭＡ方式が適用された移動通信システムの構成列を示す図である。
【符号の説明】
【００７７】
１０  基地局制御局
２１  通信リンク
２２  ネットワークインタフェース部
２３  無線送受信部
２４  ベースバンド信号処理部
２５  内部バス
２６  制御部
２６Ｐ  ポインタ
２６ｐｔ  パッケージ優先テーブル
２６Ｔ  資源管理テーブル
３０  無線基地局
４０  パッケージ
４１  伝送路終端部
４２  コーディング部
４３  拡散部
４４  逆拡散部
４５  デコーディング部
４６  プロセッサ
５０  端末
【図１】
2006067340.tif 000003
【図２】
2006067340.tif 000004
【図３】
2006067340.tif 000005
【図４】
2006067340.tif 000006
【図５】
2006067340.tif 000007
【図６】
2006067340.tif 000008
【図７】
2006067340.tif 000009